(57)【特許請求の範囲】
【請求項１】
開口部に内接し、注出口（２）の内側（２１）を塞いでいる封止部（３）の上面（３１）に突起部（４）が付着し、しかも、該突起部（４）の先端部（４１）にリング状タブ（５）が取り付けられていることを特徴とする流出量の切り替え可能な注出口付きキャップ（１）。
【請求項２】
封止部（３）に付着している突起部（４）が、封止部（３）の中央部よりも注出口（２）側に付着していることを特徴とする請求項１記載の流出量の切り替え可能な注出口付きキャップ（１）。
【請求項３】
封止部（３）に付着している突起部（４）の根元部（４２）が、注出口（２）側に向かって太くなっていることを特徴とする請求項１乃至２のいずれかに記載された流出量の切り替え可能な注出口付きキャップ（１）。
【発明の詳細な説明】
【０００１】
【発明の属する技術分野】
本発明は、バッグインボックス用内袋等の容器のスパウトに装着される注出口付きキャップに関するものである。更に詳しくは、容器内の液体を注出させる際に、注出量の切り替えが可能な注出口付きキャップに関するものである。
【０００２】
バッグインボックス用内袋等の容器のスパウトに装着される注出口付きキャップは、注出口の内側を塞いでいるスパウトの先端部（開口部）とこれに内接するキャップの封止部内面の内、封止部の内面を注出口の内側より離し、注出口を開栓状態にしてから、容器内の液体を注出させていた。注出口の内側を塞いでいる封止部の内面を注出口より離す方法としては、封止部の上面に取り付けられたタブを引っ張る方法や、封止部の上面に付着された突起部を傾ける方法等がある。
【０００３】
そして、バッグインボックス用内袋等の容器から内容物の液体を注出させる際、一度に多量の内容物を注出させる場合には、注出口からの注出量が多い方法が好ましく、少量の内容物しか注出しない場合には、注出口からの注出量が少ない方法が好ましい。
【０００４】
しかし、上記したそれぞれの方法では、内容物の液体を注出する際、注出量を調整することが困難であった。即ち、封止部の上面に取り付けられたタブを引っ張る場合には、封止部の上面が湾曲して凹部を形成しているため、タブを引っ張ると、リング状タブが伸びるので力加減が難しく、常に十分に引っ張られた状態になってしまい、注出量を調整することが出来ず、注出量が一定になってしまう。又、封止部の上面に付着された突起部を傾ける場合にも、突起部が短く、又、封止部のほぼ中央部に付着しているため、突起部を傾けると常に十分傾けられた状態になってしまい、注出量を調整することが出来ず、注出量が一定になってしまう。
【０００５】
【発明が解決しようとする課題】
本発明は、容器内の液体を注出するときに、注出量を容易に調整することができる注出口付きキャップを提供しようとするものである。
そして、バッグインボックス用内袋等の容器から一度に多量の液体を注出する時でも、少量の液体しか注出しない時でも、どちらでも容易に注出することができるようにしようとするものである。
【０００６】
本発明は、上記課題を解決するために、注出口付きキャップの封止部の上面に取り付けられたタブを引っ張る方法と、封止部の上面に付着された突起部を傾ける方法を併用する方法を見出した。即ち、スパウトなどの先端開口部に内接し、注出口（２）の内側（２１）を塞いでいる封止部（３）の上面（３１）に突起部（４）が付着し、しかも、該突起部（４）の先端（４１）にリング状タブ（５）が取り付けられている。好ましくは、封止部（３）に付着している突起部（４）が、封止部（３）の中央部よりも注出口（２）側に付着している。更に好ましくは、封止部（３）に付着している突起部（４）の根元部（４２）が、注出口（２）側に向かって太くなっている。
【０００７】
本発明の流出量切り替え可能な注出口付きキャップを取り付ける容器としては、特に限定されるものではないが、プラスチックフィルムから製袋された袋に孔が開けられ、その孔に開口部を有するスパウトが熱融着等により取り付けられた容器、例えば、バッグインボックス用内袋等が好適である。しかも、本発明の注出口付きキャップが装着されるバッグインボックス用内袋等の容器の大きさとしては、５乃至２０リットル入りが好適である。
【０００８】
本発明の流出量切り替え可能な注出口付きキャップを構成する材質としては、特に限定されるものではなく、従来一般にキャップに使用されている合成樹脂を挙げることができる。特に、本発明の注出口付きキャップは、封止部を変形させて開栓させる機構であることから、封止部は柔軟な合成樹脂、例えば、熱可塑性エラストマー等が好適である。又、突起部を傾けて封止部を変形させる機構であることから、突起部は封止部より硬度の高い合成樹脂からなるものが好ましい。即ち、キャップを構成する合成樹脂は、必ずしも同一の合成樹脂である必要はなく、むしろ部材によってそれぞれ好適な合成樹脂を用いるのが好ましい。
【０００９】
以下、図面を用いて本発明の流出量切り替え可能な注出口付きキャップを詳細に説明する。
尚、本発明の注出口付きキャップは、図面に示された形状のものに限定されるものでないことは、当然である。
図１は、本発明の注出口付きキャップが容器のスパウトに装着された状態を示す概略断面図である。
図２は、本発明の注出口付きキャップの概略平面図である。
図３は、本発明の注出口付きキャップの突起部を傾けて、容器内の液体を注出する時の状態を示す概略断面図である。
図４は、本発明の注出口付きキャップのリング状タブを引っ張って、容器内の液体を注出する時の状態を示す概略断面図である。
【００１０】
まず、本発明の流出量切り替え可能な注出口付きキャップ（１）を装着する容器には、先端開口部を有するスパウト（８）が取り付けられている。そして、本発明の注出口付きキャップ（１）は、通常の状態では図１に示す如く、スパウト（８）の先端部（８１）と、これに内接する注出口付きキャップ（１）の封止部（３）の内面（３２）とによって注出口（２）の内側（２１）が塞がれて、注出口は完全に密封状態になっている。即ち、本発明の注出口付キャップが容器に取り付けられたスパウトに装着されている時、封止部は内側に湾曲して凹状を形成しており、しかも、柔軟性を有しているので、湾曲した封止部の内面は注出口の内側に密着し、スパウトの先端部と共に注出口の内側を完全に塞ぐ状態になっている。尚、注出口の形状は、円形であっても、矩形であってもかまわない。
【００１１】
そして、封止部（３）の上面（３１）には、突起部（４）が付着している。
突起部（４）が封止部（３）の上面（３１）に付着している位置としては、封止部（３）の中央部より注出口（２）側に位置しているのが好ましい。突起部（４）の付着している位置が、封止部（３）の中央部より注出口（２）側と反対側であると、突起部（４）を傾けた際に、封止部（３）に注出口（２）を開栓させるような変形を起こさせることが困難である。又、突起部（４）の付着している位置が、注出口（２）に近くなると、注出量は少なくなる。そこで、突起部を付着させる位置は、突起部を傾けた際に所望の注出量になるように適宜決定されればよい。
尚、一般に、リング状タブを引っ張った際の注出量は多くなるので、突起部を傾けた際の注出量は少ないのが好ましい。
【００１２】
又、封止部（３）に付着させる突起部（４）は、該根元部（４２）が注出口（２）側に向かって太くなっているのが好ましい。突起部（４）の根元部（４２）が注出口（２）側に向かって太くなっていると、突起部（４）を傾けた際に、注出口（２）の内側を塞いでいる封止部（３）を変形させ、注出口（２）を開栓状態にし易い。
突起部（４）の根元部（４２）が注出口（２）側に向かって太くなっているとは、突起部（４）そのものが注出口（２）側に向かって太くなっているのは勿論、突起部（４）の底部に注出口（２）側に向かって突出するように盤状体を付着させたものや、突起部（４）の注出口（２）側の根元側面と突起部と注出口の間で該根元側面の封止部（３）の上面（３１）に接合するように角棒状体や三角板状体等を付着させたもの等を挙げることができる。
【００１３】
尚、突起部は、封止部を変形させるため、指先で傾けても湾曲しないような硬度を有しているのが好ましい。又、突起部の高さは、特に限定されるものではないが、指先で傾けることができ、しかも、封止部の湾曲した凹部の中に収まる高さが好ましい。突起部が封止部の湾曲した凹部より飛び出していると、見栄えが悪くなるばかりか、何かに触れて突起部が傾けられ、容器内の液体が漏れ出す危険性がある。
【００１４】
更に、突起部（４）の先端部（４１）には、リング状タブ（５）が付着している。
リング状タブ（５）が突起部（４）の先端部（４１）に付着していると、リング状タブ（５）を引っ張った時、突起部（４）を傾けた時よりも注出口（２）の内側を塞いでいる封止部（３）を大きく変形させて完全な開栓状態とし、多量の液体を注出することができる。
【００１５】
又、タブがリング状になっていると、指先をそのリングに差し込んで容易に引っ張ることができる。しかも、タブがリング状になっていると、引っ張ったタブをキャップの周囲縁部（７）の引掛部（７１）に引っ掛けて止めておくこともできる。
尚、リング状とは、必ずしも円形である必要はなく、三角形、四角形であってもかまわない。又、突起部の先端部へタブを付着させるには、別工程で作られたリング状タブの一部を突起部の先端部に熱融着等により付着させることも可能であるが、注出口付きキャップを成型する際に、同時に一体成形するのが、工程が簡単で好ましい。
【００１６】
本発明の流出量切り替え可能な注出口付きキャップを装着した容器から少量の液体を注出する時には、図３に示す如く、突起部を注出口側と反対側に倒し、注出口の内側を塞いでいる封止部の内面を注出口より少し離し、注出口を一部開栓状態にする。そして、容器を傾けて内容物の液体を注ぎ出す。
【００１７】
又、本発明の流出量切り替え可能な注出口付きキャップを装着した容器から多量の液体を注出するには、図４に示す如く、リング状タブを引っ張り、注出口の内側を塞いでいる封止部の内面を注出口より大きく離し、注出口を完全に開栓状態にする。そして、容器を傾けて内容物の液体を注ぎ出す。
尚、注出口付きキャップの周囲縁部に引掛部が有ると、引っ張られたタブを該引掛部に引っ掛けて止めることができるので、両手で容器を傾けて内容物の液体を注出することが出来る。その結果、注出された液体を注がれる器より漏らすことがない。
【００１８】
容器内の液体を全て注出させずに残す場合は、必要量だけ注出した後、注出口の先端にキャップを取り付けておくと、注出口の中に雑菌が付着したり、或は、注出口の中に付着していた液体が雫となって落下することがない。
【００１９】
【作用及び効果】
本発明の流出量切り替え可能な注出口付きキャップを備えた容器は、突起部を傾けることにより、注出口の内側を塞いでいる封止部を注出口より少し離して一部だけ開栓状態にすることができるので、注出量を少なくすることが出来る。又、リング状タブを引っ張ることにより、注出口の内側を塞いでいる封止部を注出口より大きく離し、完全に開栓状態にすることができるので、注出量を多くすることが出来る。
そのため、本発明の流出量切り替え可能な注出口付きキャップを備えた容器は、短時間で多量の液体を注出することが出来るばかりか、少量の液体も精度よく注出することも出来るので、業務用の醤油や食料油等の容器に非常に有益である。
【図面の簡単な説明】
【図１】本発明の流出量切り替え可能な注出口付きキャップが容器のスパウトに装着された状態を示す概略断面図である。
【図２】本発明の流出量切り替え可能な注出口付きキャップの概略平面図である。
【図３】本発明の注出口付きキャップの突起部を傾けて、容器内の液体を注出する時の状態を示す概略断面図である。
【図４】本発明の注出口付きキャップのリング状タブを引っ張って、容器内の液体を注出する時の状態を示す概略断面図である。
【符号の説明】
１．    流出量切り替え可能な注出口付きキャップ
２．    注出口
２１．  注出口の内側
３．    封止部
３１．  封止部の上面
３２．  封止部の内面
４．    突起部
４１．  突起部の先端部
４２．  突起部の根元部
５．    リング状タブ
７．    周囲縁部
７１．  周囲縁部の引掛部
８．    スパウト
８１．  スパウトの先端部
【図１】
0004018390.tif 000002
【図２】
0004018390.tif 000003
【図３】
0004018390.tif 000004
【図４】
0004018390.tif 000005